(57)【要約】      （修正有）【課題】載置面から滑りにくいと共に、載置面との接触音を軽減化させることができる容器を提供する。【解決手段】容器１は、磁器、ストーンウェア、陶器、及びガラスからなる群より選ばれる材料で構成される容器１であって、容器１が載置面に当接する容器１の底面１０にシリコン層２０が形成されているものである。【選択図】図１
0003197140.tif 000002
【実用新案登録請求の範囲】
【請求項１】
磁器、ストーンウェア、陶器、及びガラスからなる群より選ばれる材料で構成される容器であって、
前記容器が載置面に当接する前記容器の底面にシリコン層が形成されている
ことを特徴とする容器。
【請求項２】
受け皿に当接する高台を有する容器であって、
前記容器は、磁器、ストーンウェア、陶器、及びガラスからなる群より選ばれる材料で構成され、
前記高台が前記受け皿に当接する前記高台の底面にシリコン層が形成されている
ことを特徴とする容器。
【請求項３】
高台の載置面に当接する底面に溝部が形成され、前記溝部にシリコン層が形成されている
ことを特徴とする請求項２記載の容器。
【請求項４】
高台の載置面に当接する底面に環状の溝部が形成され、前記溝部は前記溝部の開口部に向かって先細りに形成され、前記溝部にシリコン層が形成されている
ことを特徴とする請求項２記載の容器。
【請求項５】
シリコン層は、リング状に形成され、
高台は外側と内側にそれぞれ外側壁と内側壁があり、
前記外側壁と内側壁にそれぞれ外側凹みと内側凹みがあり、
前記シリコン層は、前記高台の底面を跨って前記外側凹みと前記内側凹みにそれぞれ係合している
ことを特徴とする請求項２記載の容器。
【考案の詳細な説明】
【技術分野】
【０００１】
本考案は、容器に係り、特に、載置面から滑りにくいと共に、載置面との接触音を軽減化させることができる容器に関する。
【背景技術】
【０００２】
載置面、例えば、受け皿に、容器、例えば、カップが載置される。
【考案の概要】
【考案が解決しようとする課題】
【０００３】
カップを受け皿に載置する際、カップと受け皿とが接触し、接触音が生じたり、また、受け皿にカップを乗せて持ち運ぶ際、受け皿を傾けると、受け皿の上のカップが移動し、受け皿からカップが離脱するという問題点があった。
【０００４】
本考案は、上記の問題点を考慮してなされた容器を提供することを目的とする。
【課題を解決するための手段】
【０００５】
請求項１記載の容器は、磁器、ストーンウェア、陶器、及びガラスからなる群より選ばれる材料で構成される容器であって、前記容器が載置面に当接する前記容器の底面にシリコン層が形成されているものである。
【０００６】
また、請求項２記載の容器は、受け皿に当接する高台を有する容器であって、前記容器は、磁器、ストーンウェア、陶器、及びガラスからなる群より選ばれる材料で構成され、前記高台が前記受け皿に当接する前記高台の底面にシリコン層が形成されているものである。
【０００７】
また、請求項３記載の容器は、請求項２記載の容器において、高台の載置面に当接する底面に溝部が形成され、前記溝部にシリコン層が形成されているものである。
【０００８】
また、請求項４記載の容器は、請求項２記載の容器において、高台の載置面に当接する底面に環状の溝部が形成され、前記溝部は前記溝部の開口部に向かって先細りに形成され、前記溝部にシリコン層が形成されているものである。
【０００９】
また、請求項５記載の容器は、請求項２記載の容器において、シリコン層は、リング状に形成され、高台は外側と内側にそれぞれ外側壁と内側壁があり、前記外側壁と内側壁にそれぞれ外側凹みと内側凹みがあり、前記シリコン層は、前記高台の底面を跨って前記外側凹みと前記内側凹みにそれぞれ係合しているものである。
【考案の効果】
【００１０】
請求項１記載の容器によれば、容器が載置面に当接する前記容器の底面にシリコン層が形成されているため、載置面（例えば、容器の受け皿、テーブル等）に容器が当接しても載置面（例えば、容器の受け皿、テーブル等）に対して容器が滑りにくいと共に、容器が載置面（例えば、容器の受け皿、テーブル等）に当接しても、容器と載置面（例えば、容器の受け皿、テーブル等）との接触音が軽減化される。
【００１１】
また、請求項２記載の容器によれば、容器の高台が受け皿に当接する前記高台の底面にシリコン層が形成されているため、受け皿に容器が当接しても受け皿に対して容器が滑りにくいと共に、容器が受け皿に当接しても、容器と受け皿との接触音が軽減化される。
【００１２】
また、請求項４記載の容器によれば、前述の請求項２記載の考案の効果に加え、高台の載置面に当接する底面に環状の溝部が形成され、前記溝部は前記溝部の開口部に向かって先細りに形成され、前記溝部にシリコン層が形成されているため、シリコン層が溝部から離脱しにくく、シリコン層を溝部に保持することができる。
【００１３】
また、請求項５記載の容器によれば、前述の請求項２記載の考案の効果に加え、シリコン層は、高台の底面を跨って外側凹みと内側凹みにそれぞれ係合しているため、シリコン層が外側凹みと内側凹みから離脱しにくく、シリコン層を外側凹みと内側凹みに保持することができる。
【図面の簡単な説明】
【００１４】
【図１】図１は、本考案の一実施例の容器の概略的斜視図である。
【図２】図２は、図１の容器の概略的断面図である。
【図３】図３は、図２の容器と異なる他の実施例の容器の概略的断面図である。
【図４】図４は、図３のの概略的斜視図である。
【図５】図５は、図４の容器の使用状態の概略的斜視図である。
【図６】図６（ａ）は、図３の容器と異なる他の実施例の容器の高台にシリコン層を装着する前の概略的断面図で、図６（ｂ）は、図６（ａ）の高台にシリコン層を装着した容器の概略的断面図である。
【考案を実施するための形態】
【００１５】
本考案の一実施例の容器を図面を参照して説明する。
図１及び図２に示す１は容器で、容器１は、磁器、ストーンウェア、陶器、及びガラスからなる群より選ばれる材料で構成されている。
そして、高台Ｔが載置面（例えば、容器の受け皿、テーブル等）に当接する高台Ｔの底面１０にシリコン層２０が形成されている。なお、シリコン層２０を構成するシリコンの耐熱温度は、−２０℃〜２３０℃である。
【００１６】
従って、上述した容器１によれば、容器１が載置面（例えば、容器の受け皿、テーブル等）に当接する容器１の底面１０にシリコン層２０が形成されているため、載置面（例えば、容器の受け皿、テーブル等）に容器１が当接しても載置面（例えば、容器の受け皿、テーブル等）に対して容器１が滑りにくいと共に、容器１が載置面（例えば、容器の受け皿、テーブル等）に当接しても、容器１と載置面（例えば、容器の受け皿、テーブル等）との接触音が軽減化される。
【００１７】
なお、シリコン層２０は、高台Ｔが受け皿１０に当接する高台Ｔの底面１０に塗布等して形成しても良いが、図３に示すように、高台Ｔの載置面（例えば、容器の受け皿、テーブル等）に当接する底面１０に溝部１０１が形成され、溝部１０１にシリコン層２０を嵌め込んで形成するようにしても良い。
また、溝部１０１は溝部１０１の開口部１０１Ｋに向かって先細りに形成され、溝部１０１Ｋにシリコン層２０が形成されていても良い。
このように、溝部１０１は溝部１０１の開口部１０１Ｋに向かって先細りに形成され、溝部１０１にシリコン層２０が形成されていると、シリコン層２０が溝部１０１から離脱しにくく、シリコン層２０を溝部１０１に保持することができる。
【００１８】
次に、容器１に受け皿３０を使用した実施例について、図４及び図５を参照して説明する。
容器１は、上述の実施例と同様、磁器、ストーンウェア、陶器、及びガラスからなる群より選ばれる材料で構成されている。
そして、高台Ｔが載置面、例えば、容器１の受け皿３０に当接する高台Ｔの底面１０にシリコン層２０が形成されている。
【００１９】
従って、上述した容器１によれば、容器１が載置面、容器１の受け皿３０に当接する容器１の底面１０にシリコン層２０が形成されているため、載置面、例えば、容器１の受け皿３０に容器１が当接しても載置面、例えば、容器１の受け皿３０に対して容器１が滑りにくい（例えば、図示しない手で、図５に示すように傾斜しても容器１が滑らない。）と共に、容器１が載置面、例えば、容器１の受け皿３０に当接しても、容器１と載置面、例えば、容器１の受け皿３０との接触音が軽減化される。
なお、滑りにくいということは、小さい地震等による振動にも効果的であり、また、容器を取り扱う業者にあっては、容器１を積み重ねて積層して梱包する際にも好適である。
【００２０】
なお、図３に示すように、高台Ｔの載置面（例えば、容器の受け皿、テーブル等）に当接する底面１０に溝部１０１が形成され、溝部１０１にシリコン層２０を嵌め込んで形成するようにしたが、本願考案は、これに限らず、例えば、図６（ａ）（ｂ）に示すように、シリコン層２０は、環状の高台Ｔに沿ったリング状に形成され、高台Ｔは外側と内側にそれぞれ外側壁Ｔ１と内側壁Ｔ２があり、外側壁Ｔ１と内側壁Ｔ２にそれぞれ外側凹みＴ１１と内側凹みＴ２１があり、シリコン層２０は、高台Ｔの底面１０を跨って外側凹みＴ１１と内側凹みＴ２１にそれぞれ係合している。
その結果、シリコン層２０が外側凹みＴ１１と内側凹みＴ２１から離脱しにくく、シリコン層２０を外側凹みＴ１１と内側凹みＴ２１に保持することができる。
【００２１】
また、上述した実施例の容器１にあっては、高台Ｔを有する容器１について説明したが、本願考案にあってこれに限らず、図示しない高台を有さない容器でも同様に、適用することができる。
この場合、図示しないが、容器が載置面に当接する前記容器の底面にシリコン層が形成されていれば良い。
【符号の説明】
【００２２】
１      容器
１０      底面
２０      シリコン層
３０      受け皿（載置面）
【図１】
0003197140.tif 000003
【図２】
0003197140.tif 000004
【図３】
0003197140.tif 000005
【図４】
0003197140.tif 000006
【図５】
0003197140.tif 000007
【図６】
0003197140.tif 000008